(57)【要約】【課題】転送相手を特定するために生じるユーザの負担を軽減する。【解決手段】モバイル機器はワイヤレスネットワーク上でアクセス可能な様々な機器にリンクされる無線ＬＡＮモジュール２８と、タッチペン１７の接触点を検出するタッチパネル１６と、タッチパネル１６の検出結果からタッチペン１７の移動方位を決定し、様々な機器のうちでタッチペン１７の移動方位を基準とした方位範囲に存在する１つを転送相手として選択し、この転送相手とデータ転送を行うよう無線ＬＡＮモジュール２８を制御する制御部１１，２７とを備える。【選択図】    図１
2008299619.tif 000002
【特許請求の範囲】
【請求項１】
ワイヤレスネットワーク上でアクセス可能な様々な機器にリンクされる通信部と、ポインタの接触点を検出するタッチパネルと、前記タッチパネルの検出結果から前記ポインタの移動方位を決定し、前記様々な機器のうちで前記ポインタの移動方位を基準とした方位範囲内に存在する１つを転送相手として選択し、この転送相手とデータ転送を行うよう前記通信部を制御する制御部とを備えるモバイル機器。
【請求項２】
前記制御部は前記モバイル機器の位置を測位して位置情報を生成する測位手段と、前記通信部を介して前記様々な機器の位置情報を収集する収集手段と、前記測位手段および収集手段により得られた位置情報から前記モバイル機器の位置に対する前記様々な機器の方位および距離を計算する計算手段と、前記計算手段の計算結果に基づいて前記様々な機器のうちで前記方位範囲内に存在する１つを転送相手として選択する選択手段を含む請求項１に記載のモバイル機器。
【請求項３】
さらにディスプレイを備え、前記制御部は前記モバイル機器のマークが二次元座標軸の交点に配置され前記様々な機器のマークが前記交点の周囲に配置される方位マップを前記計算手段の計算結果に基づいて前記ディスプレイに表示させる表示制御手段を含み、前記表示制御手段は前記二次元座標軸を東西方向および南北方向にそれぞれ維持するために前記モバイル機器の向きの変化に対応して前記方位マップを回転させるように構成される請求項２に記載のモバイル機器。
【請求項４】
前記タッチパネルは前記ディスプレイに重ねて一体化される透過型タブレットである請求項３に記載のモバイル機器。
【請求項５】
前記選択手段はさらに前記方位範囲内に１以上の機器が存在する場合に前記ポインタの移動速度、移動量、モバイル機器の傾きのいずれかに基づいて前記転送相手を選択するように構成される請求項２に記載のモバイル機器。
【請求項６】
前記制御部は前記モバイル機器の位置を測位して位置情報を生成する測位手段と、前記測位手段から得られた位置情報および前記ポインタの移動方位に関する方位情報を付加した呼掛けを前記通信部に行わせる呼掛手段と、前記呼掛手段からの位置情報および方位情報により特定される方位範囲内に存在する機器からの応答を前記通信部により確認する確認手段と、この機器を転送相手として選択する選択手段を含む請求項１に記載のモバイル機器。
【請求項７】
さらにディスプレイを備え、前記制御部は前記モバイル機器のマークが二次元座標軸の交点に配置され前記ポインタの移動方位を基準とした前記方位範囲が示される方位マップを前記ディスプレイに表示させる表示制御手段を含み、前記表示制御手段は前記二次元座標軸を東西方向および南北方向にそれぞれ維持するために前記モバイル機器の向きの変化に対応して前記方位マップを回転させるように構成される請求項６に記載のモバイル機器。
【請求項８】
前記タッチパネルは前記ディスプレイに重ねて一体化される透過型タブレットである請求項７に記載のモバイル機器。
【請求項９】
前記選択手段は、前記方位範囲に１以上の機器が存在する場合に前記ポインタの移動速度、前記ポインタの移動量、およびモバイル機器の傾きのいずれかに基づいて前記転送相手を選択するように構成される請求項６に記載のモバイル機器。
【請求項１０】
前記制御部は前記転送相手として選択された機器とのデータ転送について承認を求めるように構成される請求項１に記載のモバイル装置。
【請求項１１】
ワイヤレスネットワーク上でアクセス可能な様々な機器にリンクされる通信部と、ポインタの接触点を検出するタッチパネルとを備えたモバイル機器において、前記タッチパネルの検出結果から前記ポインタの移動方位を決定し、前記様々な機器のうちで前記ポインタの移動方位を基準とした方位範囲内に存在する１つを転送相手として選択し、この転送相手とデータ転送を行うよう前記通信部を制御するデータ転送方法。
【請求項１２】
前記モバイル機器の位置を測位して位置情報を生成し、前記通信部を介して前記様々な機器の位置情報を収集し、前記測位および収集の結果として得られた位置情報から前記モバイル機器の位置に対する前記様々な機器の方位および距離を計算し、前記計算の結果に基づいて前記様々な機器のうちで前記方位範囲内に存在する１つを転送相手として選択する請求項１１に記載のデータ転送方法。
【請求項１３】
前記モバイル機器の位置を測位して位置情報を生成し、前記測位の結果として生成された位置情報および前記ポインタの移動方位に関する方位情報を付加した呼掛けを前記通信部に行わせ、前記呼掛けで付加された位置情報および方位情報により特定される方位範囲内に存在する機器からの応答を前記通信部により確認し、この機器を転送相手として選択する請求項１１に記載のデータ転送方法。
【請求項１４】
ワイヤレスネットワーク上に設けられる様々な機器と、前記ワイヤレスネットワーク上でアクセス可能な前記様々な機器にリンクされる通信部、ポインタの接触点を検出するタッチパネル、および前記タッチパネルの検出結果から前記ポインタの移動方位を決定し、前記様々な機器のうちで前記ポインタの移動方位を基準とした方位範囲内に存在する１つを転送相手として選択し、この転送相手とデータ転送を行うよう前記通信部を制御する制御部を備えたモバイル機器とを備え、前記モバイル機器の制御部は前記モバイル機器の位置を測位して位置情報を生成し、前記測位の結果として生成された位置情報および前記ポインタの移動方位に関する方位情報を付加した呼掛けを前記通信部に行わせ、前記様々な機器のいずれかの応答を前記通信部により確認し、この機器を転送相手として選択するように構成され、前記様々な機器の各々は前記呼掛けで付加された位置情報および方位情報により特定される方位範囲内に自身が存在することを確認して前記呼掛けに応答するように構成されるデータ転送システム。
【発明の詳細な説明】
【技術分野】
【０００１】
本発明は、一般にワイヤレスネットワーク上でアクセス可能な様々な機器とデータ転送を行うモバイル機器、データ転送方法、およびデータ転送システムに関し、特にタッチパネルを用いて転送相手を特定するモバイル機器、データ転送方法、およびデータ転送システムに関する。
【背景技術】
【０００２】
近年では、携帯電話、携帯情報端末(ＰＤＡ)のようなモバイル機器の普及が著しい。これらモバイル機器は、一般にユーザインタフェースとしてディスプレイ、キー操作部等を備えている。また、これらモバイル機器は、グローバルポジショニングシステム（ＧＰＳ）機能、ワイヤレスネットワーク機能、その他の機能を付加することにより高機能化されつつある。
【０００３】
モバイル機器の進歩に伴い、多くのユーザが音楽、フォト、動画、地図等の様々データをモバイル機器に格納して持ち歩くようになっている。また、これらユーザが集る施設やフィールドでは、各ユーザがワイヤレスネットワーク機能により自身のモバイル機器と他のユーザのモバイル機器とリンクさせ、これらモバイル機器間で行われるデータ転送により上述した様々なデータを他のユーザと共有することが可能になった。上述のユーザインタフェースは、データ転送を行う必要が生じた場合に所望のモバイル機器を転送相手として特定するために用いられる。
【０００４】
従来、ワイヤレスネットワークがＧＰＳ機能を備えた複数のモバイル機器により構築されることがある。各モバイル機器は通信可能な他のモバイル機器から位置情報をそれぞれ取得し、他のモバイル機器の識別コードを位置情報に対応する座標位置に配置されたマークと一緒にディスプレイ上に表示する。ここでは、転送相手がキー操作部の操作により識別コードを入力して特定される。また、ディスプレイ上に表示される複数の候補のうちの１つをキー操作部やタッチパネルの操作により選択して転送相手を特定する方式もある（例えば、特許文献１を参照）。
【特許文献１】特開平１１−９８２１８号公報
【発明の開示】
【発明が解決しようとする課題】
【０００５】
しかしながら、各ユーザは転送相手のモバイル機器を所持する他のユーザが自身のすぐ隣にいることを承知していても、ディスプレイ上で転送相手を検索してからキー操作部やタッチパネルを操作する必要があり、これがユーザの負担となる。また、モバイル機器のマークは例えば上端側を北に設定してディスプレイに表示されるため、転送相手を間違って認識し易い。ここで各ユーザが南向きでディスプレイを見ていると仮定すると、右隣のモバイル機器がディスプレイ上で左側に表示されるマークで表され、左隣のモバイル機器がディスプレイ上で右側に表示されるマークにより表される。
【０００６】
本発明の目的は転送相手を特定するために生じるユーザの負担を軽減できるモバイル機器、データ転送方法、およびデータ転送システムを提供することにある。
【課題を解決するための手段】
【０００７】
本発明の第１観点によれば、ワイヤレスネットワーク上でアクセス可能な様々な機器にリンクされる通信部と、ポインタの接触点を検出するタッチパネルと、タッチパネルの検出結果からポインタの移動方位を決定し、様々な機器のうちでポインタの移動方位を基準とした方位範囲に存在する１つを転送相手として選択し、この転送相手とデータ転送を行うよう通信部を制御する制御部とを備えるモバイル機器が提供される。
【０００８】
本発明の第２観点によれば、ワイヤレスネットワーク上でアクセス可能な様々な機器にリンクされる通信部と、ポインタの接触点を検出するタッチパネルとを備えたモバイル機器において、タッチパネルの検出結果からポインタの移動方位を決定し、様々な機器のうちでポインタの移動方位を基準とした方位範囲内に存在する１つを転送相手として選択し、この転送相手とデータ転送を行うよう通信部を制御するデータ転送方法が提供される。
【０００９】
本発明の第３観点によれば、ワイヤレスネットワーク上に設けられる様々な機器と、ワイヤレスネットワーク上でアクセス可能な様々な機器にリンクされる通信部、ポインタの接触点を検出するタッチパネル、およびタッチパネルの検出結果からポインタの移動方位を決定し、様々な機器のうちでポインタの移動方位を基準とした方位範囲内に存在する１つを転送相手として選択し、この転送相手とデータ転送を行うよう通信部を制御する制御部を備えたモバイル機器とを備え、モバイル機器の制御部はモバイル機器の位置を測位して位置情報を生成し、この測位の結果として生成された位置情報およびポインタの移動方位に関する方位情報を付加した呼掛けを通信部に行わせ、様々な機器のいずれかの応答を通信部により確認し、この機器を転送相手として選択するように構成され、様々な機器の各々は呼掛けで付加された位置情報および方位情報により特定される方位範囲内に自身が存在することを確認して呼掛けに応答するように構成されるデータ転送システムが提供される。
【発明の効果】
【００１０】
これらモバイル機器、データ転送方法、データ転送システムでは、ポインタの移動方位がタッチパネルの検出結果から決定され、様々な機器のうちでポインタの移動方位を基準とした方位範囲内に存在する１つが転送相手として選択され、通信部がこの転送相手とデータ転送を行うよう制御される。ユーザがタッチパネル上で所望方位にポインタを移動させれば、ワイヤレスネットワーク上でアクセス可能な様々な機器のうちでポインタの移動方位を基準とした方位範囲内に存在する機器が転送相手として選択される。この場合、ユーザはモバイル機器内の情報から転送相手を検索する必要がない。さらに、この検索過程で転送相手の間違いが防止される。従って、転送相手を特定するために生じるユーザの負担を軽減できる。
【発明を実施するための最良の形態】
【００１１】
以下、本発明の第１実施形態に係るデータ転送システムについて添付図面を参照して説明する。
【００１２】
図１はこのデータ転送システムに設けられるモバイル機器の回路構成を概略的に示す。このモバイル機器は例えば携帯電話、携帯情報端末(ＰＤＡ)等として用いられるものであり、ワイヤレスネットワーク上でアクセス可能な様々な他のモバイル機器とデータ転送を行うことが可能である。他のモバイル機器は例えば図１に示すモバイル機器と同様な基本構成を有するが、それぞれ独自の機能を実現するための構成を付加されることもある。
【００１３】
図１に示すモバイル機器はバスにより相互接続されるＣＰＵ１１、メモリ１２、表示コントローラ１３、およびタブレットコントローラ１４を備える。ＣＰＵ１１は機器全体の動作に対する制御処理を行う。メモリ１２はＣＰＵ１１の制御プログラムや入出力データを格納する。表示コントローラ１３は液晶ディスプレイ１５に接続され、この液晶ディスプレイ１５を制御する。タッチパネルコントローラ１４はタッチパネル１６に接続され、このタッチパネル１６を制御する。液晶ディスプレイ１５は様々な画像を表示するために用いられる。タッチパネル１６は液晶ディスプレイ１５に重ねて一体化された透過型タブレットであり、ポインタとして用いられるタッチペン１７の接触点を検出する。
【００１４】
モバイル機器はさらにバスによりＣＰＵ１１に接続されるハードディスクドライブ１８、入力インタフェース１９、キーセット２０、ＵＳＢコントローラ２１、オーディオコントローラ２２、入出力コントローラ２３、および電源回路２４を備える。ハードディスクドライブ１８は音楽、フォト、動画、地図、アプリケーションソフトウェア等の様々データを格納する。入力インタフェース１９は液晶ディスプレイ１５に隣接して配置された複数のキーで構成されるキーセット２０に接続され、これらキーの操作に応じたデータを入力する。ＵＳＢコントローラ２１はＵＳＢ端子２５に接続され、このＵＳＢ端子２５に接続されるユニットを制御する。オーディオコントローラ２２はヘッドホン端子２６に接続され、このヘッドホン端子２６に音声を出力する。入出力コントローラ２３はグローバルポジショニングシステム（ＧＰＳ）モジュール２７および無線ローカルエリアネットワーク（ＬＡＮ）モジュール２８に接続され、これらＧＰＳモジュール２７および無線ＬＡＮモジュール２８を制御する。ＧＰＳモジュール２７は複数のＧＰＳ衛星からそれぞれ発射される電波を受信しこれら電波からモバイル機器自身の現在位置を測位して位置情報を生成する。無線ＬＡＮモジュール２８はワイヤレスネットワーク上でアクセス可能な様々な他のモバイル機器にリンクされる通信部であり、これら他のモバイル機器との識別コード、位置情報、その他のデータを送受信する。電源回路２４はバッテリ２８に接続され、このバッテリ２８からの電力により各回路コンポーネントの動作に必要な電源電圧Ｖcc1およびＶcc2を出力する。電源回路２４は、さらにＡＣアダプタ２９に接続可能であり、このＡＣアダプタ２９からの電力によりバッテリ２８を充電するように構成されている。
【００１５】
このモバイル機器では、他のモバイル機器へまたは他のモバイル機器からのデータ転送を行う場合にＣＰＵ１１が図２に示すように上述のコンポーネントを制御する転送モード処理を行う。転送モード処理が開始されると、ステップＳＴ１でＧＰＳモジュール２７がモバイル機器自身の現在位置を測位して位置情報を生成する。ステップＳＴ２では、ＣＰＵ１１が無線ＬＡＮモジュール２８を介してアクセス可能な他の機器の位置情報を収集する。ステップＳＴ３では、ＣＰＵ１１が測位結果および収集結果の位置情報から自身の現在位置に対する他の機器の方位および距離を計算し、メモリ１２に設けられるテーブルに保存する。ステップＳＴ４では、ＣＰＵ１１がステップＳＴ３の計算結果に基づいて方位マップを液晶ディスプレイ１５に表示させる。この方位マップでは、モバイル機器のマークが二次元座標軸（Ｘ軸，Ｙ軸）の交点に配置され、アクセス可能な他の機器のマークが交点の周囲に配置される。ステップＳＴ５では、タッチパネル１６がタッチペン１７の接触点を検出したか調べられる。ステップＳＴ５は接触点が検出されるまで繰返し実行される。タッチペン１７の接触点が検出されると、ステップＳＴ６でタッチペン１７の移動方位が接触点の移動軌跡から決定される。ステップＳＴ７では、ＣＰＵ１１がステップＳＴ３で得られたテーブルの内容を参照し、タッチペン１７の移動方位を基準とした方位範囲内に存在する機器を検出したか調べる。この方位範囲はタッチペン１７の移動方位を所定の角度だけ増大させた方位と所定の角度だけ減少させた方位との間の範囲である。ステップＳＴ７で機器が検出されると、ステップＳＴ８で検出機器数が２以上か調べられる。単一の機器が検出された場合、ステップＳＴ９でＣＰＵ１１が検出された機器を転送相手として選択し、この選択結果を液晶ディスプレイ１５に表示する。ステップＳＴ１０では、この選択結果の転送相手がタッチペン１７の操作あるいはキーセット２０の操作により承認されたか調べられる。承認が得られた場合には、ステップＳＴ１１でデータ転送が無線ＬＡＮモジュール２８を介してこの転送相手と行われる。ここで、転送データはタッチペン１７の操作あるいはキーセット２０の操作により指定されるが、モバイル機器自身から転送相手に転送されても、転送相手からモバイル機器自身に転送されてもよい。このデータ転送後、転送モード処理が終了する。
【００１６】
他方、ステップＳＴ８で検出機器数が２以上であることが確認されると、ステップＳＴ１２が実行される。このステップＳＴ１２では、検出された機器の１つが上述の移動軌跡を得るためにタッチペン１７を移動させたときに得られたタッチペン１７の移動速度に基いて選択され、この選択結果が液晶ディスプレイ１５に表示される。ステップＳＴ１３では、この選択結果の転送相手がタッチペン１７の操作あるいはキーセット２０の操作により承認されたか調べられる。承認が得られた場合には、ステップＳＴ１１でデータ転送が無線ＬＡＮモジュール２８を介してこの転送相手と行われる。
【００１７】
転送相手が承認されなかった場合には、ステップＳＴ１４で転送相手を変更するか確認される。この変更がタッチペン１７の操作あるいはキーセット２０の操作により指示された場合には、ステップＳＴ１５で転送相手が非選択の機器の１つに変更され、ステップＳＴ１３およびステップＳＴ１４が繰り返される。ステップＳＴ１３で、承認が得られた場合には、ステップＳＴ１１でデータ転送がこの転送相手と行われる。また、ステップＳＴ１４で転送相手の変更が指示されなければ、転送モード処理が終了する。
【００１８】
尚、ステップＳＴ７で検出されなかった機器とのデータ転送が必要であれば、再度転送モード処理が行われる。
【００１９】
次に、データ転送の転送相手を特定するために行われるタッチペン１７の操作について説明する。ここでは、例えばモバイル機器Ａがワイヤレスネットワーク上でモバイル機器Ｂ，Ｃにアクセス可能であり、これら機器Ｂ，Ｃが機器Ａに対して図３に示すように配置されていると仮定し、モバイル機器Ａからモバイル機器Ｂを所望のデータを転送する場合を考える。この場合、モバイル機器Ａのユーザはタッチペン１７をタッチパネル１６に接触させて図３に示すように機器Ｂの方位に移動させる。すると、タッチペン１７の移動方位がこのタッチパネル１６の検出結果から決定される。機器Ｂはタッチペン１７の移動方位を基準とした方位範囲内に存在するため、機器Ｂが転送相手として選択され、所望のデータが機器Ａから機器Ｂに転送される。
【００２０】
液晶ディスプレイ１５には、方位マップが図４に示すように表示される。この方位マップは、モバイル機器の向きの変化に対応して回転され、常にＸ軸およびＹ軸をそれぞれ東西方向、南北方向に維持する。従って、ユーザが転送相手を特定するためにタッチパネル１６上でタッチペン１７を移動すべき方位がモバイル機器の向きに依存して変化しない。また、この方位マップでは、これら機器Ａ，Ｂ，Ｃの位置情報に基き、機器Ａのマーク３０ＡがＸ軸およびＹ軸の交点に配置され、機器Ｂのマーク３０Ｂおよび機器Ｃのマーク３０Ｃがこの交点の周囲に配置される。
【００２１】
第１実施形態のデータ転送システムでは、タッチペン１７の移動方位がタッチパネル１６の検出結果から決定され、様々な機器Ｂ，Ｃのうちでタッチペン１７の移動方位を基準とした方位範囲内に存在する１つが転送相手として選択され、無線ＬＡＮもジュール２８がこの転送相手とデータ転送を行うよう制御される。具体的には、無線ＬＡＮモジュール２８、タッチパネル１６、および液晶ディスプレイ１５が次の制御部により制御される。この制御部はモバイル機器の位置を測位して位置情報を生成する測位手段（ＧＰＳモジュール２８）と、通信部（無線ＬＡＮモジュール２８）を介して様々な機器の位置情報を収集する収集手段（ＣＰＵ１１）と、測位手段（ＧＰＳモジュール２８）および収集手段（ＣＰＵ１１）により得られた位置情報からモバイル機器の位置に対する様々な機器の方位および距離を計算する計算手段（ＣＰＵ１１）と、計算手段（ＣＰＵ１１）の計算結果に基づいて様々な機器のうちで方位範囲内に存在する１つを転送相手として選択する選択手段（ＣＰＵ１１）を含む。
【００２２】
ユーザがタッチパネル１６上で所望方位にタッチペン１７を移動させれば、ワイヤレスネットワーク上でアクセス可能な様々な機器Ｂ，Ｃのうちでタッチペン１７の移動方位を基準とした方位範囲内に存在する機器Ｂ，Ｃが転送相手として選択される。この場合、ユーザは機器Ａ内の情報から転送相手を検索する必要がない。さらに、この検索過程で転送相手の間違いが防止される。従って、転送相手を特定するために生じるユーザの負担を軽減できる。
【００２３】
次に本発明の第２実施形態に係るデータ転送システムについて添付図面を参照して説明する。このデータ転送システムに設けられるモバイル機器は図１と同様の回路構成を有する。このため、回路構成に関する説明を省略すると共に、第１実施形態と同様な部分に対して同一の参照符号を用いる。
【００２４】
第２実施形態では、各モバイル機器が図５に示す転送モード処理および図６に示す待受モード処理を行うように構成される。但し、自身が転送相手を特定してデータ転送を行わないモバイル機器では、図５に示す転送モード処理を省略できる。
【００２５】
このモバイル機器では、他のモバイル機器へまたは他のモバイル機器からのデータ転送を行う場合にＣＰＵ１１が図５に示すように機器内のコンポーネントを制御する転送モード処理を行う。転送モード処理が開始されると、ステップＳＴ２１でＧＰＳモジュール２７がモバイル機器自身の現在位置を測位して位置情報を生成する。ステップＳＴ２２では、タッチパネル１６がタッチペン１７の接触点を検出したか調べられる。ステップＳＴ２２は接触点が検出されるまで繰返し実行される。タッチペン１７の接触点が検出されると、ステップＳＴ２３でタッチペン１７の移動方位が接触点の移動軌跡から決定される。ステップＳＴ２４では、ＣＰＵ１１がステップＳＴ３の計算結果に基づいて方位マップを液晶ディスプレイ１５に表示させる。この方位マップでは、モバイル機器のマークが二次元座標軸（Ｘ軸，Ｙ軸）の交点に配置され、タッチペン１７の移動方位を基準とした方位範囲が示される。ステップＳＴ２５では、ＣＰＵ１１が測位結果の位置情報およびタッチペン１７の移動方向に関する方位情報を付加した呼掛けを無線ＬＡＮモジュール２８に行わせる。ステップＳＴ２６では、呼掛けで付加された位置情報および方位情報により特定される方位範囲内に存在する他の機器からの応答が検出されたか調べられる。この方位範囲はタッチペン１７の移動方位を所定の角度だけ増大させた方位と所定の角度だけ減少させた方位との間の範囲である。ステップＳＴ２６で機器が検出されると、ステップＳＴ２７で検出機器数が２以上か調べられる。単一の機器が検出された場合、ステップＳＴ２８でＣＰＵ１１が検出された機器を転送相手として選択し、この選択結果を液晶ディスプレイ１５に表示する。ステップＳＴ２９では、この選択結果の転送相手がタッチペン１７の操作あるいはキーセット２０の操作により承認されたか調べられる。承認が得られた場合には、ステップＳＴ３０でデータ転送が無線ＬＡＮモジュール２８を介してこの転送相手と行われる。ここで、転送データはタッチペン１７の操作あるいはキーセット２０の操作により指定されるが、モバイル機器自身から転送相手に転送されても、転送相手からモバイル機器自身に転送されてもよい。このデータ転送後、転送モード処理が終了する。
【００２６】
他方、ステップＳＴ２７で検出機器数が２以上であることが確認されると、ステップＳＴ３１が実行される。このステップＳＴ３１では、検出された機器の１つが上述の移動軌跡を得るためにタッチペン１７を移動させたときに得られたタッチペン１７の移動速度に基いて選択され、この選択結果が液晶ディスプレイ１５に表示される。ステップＳＴ３２では、この選択結果の転送相手がタッチペン１７の操作あるいはキーセット２０の操作により承認されたか調べられる。承認が得られた場合には、ステップＳＴ３０でデータ転送が無線ＬＡＮモジュール２８を介してこの転送相手と行われる。
【００２７】
転送相手が承認されなかった場合には、ステップＳＴ３３で転送相手を変更するか確認される。この変更がタッチペン１７の操作あるいはキーセット２０の操作により指示された場合には、ステップＳＴ１５で転送相手が非選択の機器の１つに変更され、ステップＳＴ３２およびステップＳＴ３３が繰り返される。ステップＳＴ３２で、承認が得られた場合には、ステップＳＴ３０でデータ転送がこの転送相手と行われる。また、ステップＳＴ３３で転送相手の変更が指示されなければ、転送モード処理が終了する。
【００２８】
尚、ステップＳＴ２６で検出されなかった機器とのデータ転送が必要であれば、再度転送モード処理が行われる。
【００２９】
また、他の機器は図６に示す待受モード処理を行う。待受モード処理が開始されると、ステップＳＴ３５で自身以外の機器からの呼掛けが検出されたか調べられる。ステップＳＴ３５は呼掛けが検出されるまで繰り返される。この呼掛けが検出されると、ステップＳＴ３６でＧＰＳモジュール２７が自身の現在位置を測位して位置情報を生成する。ステップＳＴ３７では、ＣＰＵ１１が呼掛けで付加された位置情報および方位情報により特定される方位範囲を計算する。ステップＳＴ３８では、モバイル機器自身が計算により得られた方位範囲内に存在するか調べられる。もし存在しなければ、ステップＳＴ３５が再び実行される。他方、自身がこの方位範囲内に存在する場合には、ステップＳＴ３９で呼掛けに応答する。この応答では、アクノリッジ信号ＡＣＫが呼掛け元の機器に返信される。ＣＰＵ１１はステップＳＴ３９実行後、再びステップＳＴ３５を実行して、呼掛け元の機器からデータ転送の要求を待つ。もし、最初の呼掛け元とは別の機器からの呼掛けがあれば、この呼掛けにも応答することになる。
【００３０】
次に、データ転送の転送相手を特定するために行われるタッチペン１７の操作について説明する。ここでは、第１実施形態のときと同様に、例えばモバイル機器Ａがワイヤレスネットワーク上でモバイル機器Ｂ，Ｃにアクセス可能であり、これら機器Ｂ，Ｃが機器Ａに対して図３に示すように配置されていると仮定し、モバイル機器Ａからモバイル機器Ｂを所望のデータを転送する場合を考える。この場合、モバイル機器Ａのユーザはタッチペン１７をタッチパネル１６に接触させて図７に示すように機器Ｂの方位に移動させる。すると、タッチペン１７の移動方位がこのタッチパネル１６の検出結果から決定される。機器Ｂはタッチペン１７の移動方位を基準とした方位範囲内に存在するため、機器Ｂが転送相手として選択され、所望のデータが機器Ａから機器Ｂに転送される。
【００３１】
液晶ディスプレイ１５には、方位マップが図８に示すように表示される。この方位マップは、モバイル機器の向きの変化に対応して回転され、常にＸ軸およびＹ軸をそれぞれ東西方向、南北方向に維持する。従って、ユーザが転送相手を特定するためにタッチパネル１６上でタッチペン１７を移動すべき方位がモバイル機器の向きに依存して変化しない。また、この方位マップでは、機器Ａのマーク３０ＡがＸ軸およびＹ軸の交点に配置され、タッチペンの１７の移動方位３１を基準にした方位範囲が示される。
【００３２】
第２実施形態のデータ転送システムでは、タッチペン１７の移動方位がタッチパネル１６の検出結果から決定され、様々な機器Ｂ，Ｃのうちでタッチペン１７の移動方位を基準とした方位範囲内に存在する１つが転送相手として選択され、無線ＬＡＮもジュール２８がこの転送相手とデータ転送を行うよう制御される。具体的には、無線ＬＡＮモジュール２８、タッチパネル１６、および液晶ディスプレイ１５が次の制御部により制御される。この制御部はモバイル機器の位置を測位して位置情報を生成する測位手段（ＧＰＳモジュール２７）と、測位手段（ＧＰＳモジュール２７）から得られた位置情報およびタッチペン１７の移動方位に関する方位情報を付加した呼掛けを通信部（無線ＬＡＮモジュール２８）に行わせる呼掛手段（ＣＰＵ１１）と、呼掛手段（ＣＰＵ１１）からの位置情報および方位情報により特定される方位範囲内に存在する機器からの応答を通信部（無線ＬＡＮモジュール２８）により確認する確認手段（ＣＰＵ１１）と、この機器を転送相手として選択する選択手段（ＣＰＵ１１）を含む。
【００３３】
ユーザがタッチパネル１６上で所望方位にタッチペン１７を移動させれば、ワイヤレスネットワーク上でアクセス可能な様々な機器Ｂ，Ｃのうちでタッチペン１７の移動方位を基準とした方位範囲内に存在する機器Ｂ，Ｃが転送相手として選択される。この場合、ユーザは機器Ａ内の情報から転送相手を検索する必要がない。さらに、この検索過程で転送相手の間違いが防止される。従って、転送相手を特定するために生じるユーザの負担を軽減できる。さらに、転送相手を特定する側のモバイル機器のＣＰＵ１１の負荷を他のモバイル機器のＣＰＵ１１に分散させることができる。
【００３４】
尚、本発明は上述の実施形態に限定されず、その要旨を逸脱しない範囲で様々に変形可能である。
【００３５】
各実施形態では、方位範囲内に１以上の機器が存在する場合に、タッチペン１７の移動速度に基いて転送相手が選択された。しかしながら、転送相手はこの他に例えばタッチペン１７の移動量やモバイル機器の傾きに基づいて選択されてもよい。
【００３６】
また、モバイル機器Ａ，Ｂ，Ｃはいずれも同様に構成されているが、用途に応じて例えば機器Ｂ，Ｃを無線識別タグ（ＲＦＩＤ）のようなものに置換えたり、住宅内において固定的に配置されるテレビやオーディオ装置であってもよい。この場合、機器Ｂ，Ｃに必ずしもＧＰＳモジュール２７を設ける必要はなく、予め位置情報を機器内に保持させておけばよい。
【００３７】
さらに、各モバイル機器は自身の現在位置を測位するためにＧＰＳモジュール２７を備えていたが、ワイヤレスネットワーク上に様々なモバイル機器にそれぞれの現在位置を通知する設備を設けることにより、ＧＰＳモジュール２７を省略することも可能である。
【図面の簡単な説明】
【００３８】
【図１】本発明の第１実施形態に係るデータ転送システムに設けられるモバイル機器の回路構成を概略的に示す図である。
【図２】図１に示すＣＰＵによって行われる転送モード処理の流れを示す図である。
【図３】図２に示す転送モード処理においてタッチペンの操作に伴って行われる動作を説明するための図である。
【図４】図２に示す転送モード処理において液晶ディスプレイに表示される方位マップを示す図である。
【図５】本発明の第２実施形態に係るデータ転送システムに設けられるモバイル機器のＣＰＵによって行われる転送モード処理の流れを示す図である。
【図６】図５に示す転送モード処理に対応して他の機器で行われる待受モード処理の流れを示す図である。
【図７】図５に示す転送モード処理においてタッチペンの操作に伴って行われる動作を説明するための図である。
【図８】図５に示す転送モード処理において液晶ディスプレイに表示される方位マップを示す図である。
【符号の説明】
【００３９】
１１…ＣＰＵ、１２…メモリ、１５…液晶ディスプレイ、１６…タッチパネル、１７…タッチペン、２０…キーセット、２７…ＧＰＳモジュール、２８…無線ＬＡＮモジュール。
【図１】
2008299619.tif 000003
【図２】
2008299619.tif 000004
【図３】
2008299619.tif 000005
【図４】
2008299619.tif 000006
【図５】
2008299619.tif 000007
【図６】
2008299619.tif 000008
【図７】
2008299619.tif 000009
【図８】
2008299619.tif 000010